(57)【要約】【課題】イオン放出部の組立作業性向上を図るとともに、誤って基台部に形成された孔から基台部内に液体が浸入した場合に、制御基板が濡れないようにすることができる扇風機を提供することを課題とする。【解決手段】イオン放出部を備えた扇風機において、イオン放出部を装着する装着部を基台部と一体的に形成するとともに、イオン放出部が装着部から外れるのを阻止する阻止体を底カバーに形成する。また、基台部に形成された孔から基台部内に浸入する水等の液体を、制御部を介することなく下方に案内する案内部を設ける。【選択図】        図４
2005248828.tif 000002
【特許請求の範囲】
【請求項１】
ベース、該ベースの底部に配設された底カバー及び前記ベースから立設されたスタンドからなる基台部と、該基台部の上方に位置する送風部と、前記基台部内に配置され前記送風部を制御する制御部と、前記基台部に配置され前記基台部外へイオンを放出するイオン放出部と、該イオン放出部を制御するイオン放出制御部と、該イオン放出制御部と前記イオン放出部とを電気的に接続するコードと、前記基台部に一体的に形成され前記イオン放出部が装着される装着部と、前記底カバーに形成され、前記底カバーの前記ベース底部への配設時、前記イオン放出部が前記装着部から外れるのを阻止する阻止体とを備えたことを特徴とする扇風機。
【請求項２】
請求項１記載の扇風機において、前記装着部は筒状体であり、該筒状体の一端開口は前記基台部の外方に臨むとともに他端開口は前記基台部内に位置し、前記イオン放出部は前記筒状体内に保持されていることを特徴とする扇風機。
【請求項３】
請求項２記載の扇風機において、前記一端開口から前記基台部の外方に臨む前記イオン放出部の先端を保護するように、前記一端開口付近に保護体を設けたことを特徴とする扇風機。
【請求項４】
請求項２記載の扇風機において、前記他端開口に連接するように前記筒状体に切欠部を設け、該切欠部に前記コードを挿通したことを特徴とする扇風機。
【請求項５】
請求項３記載の扇風機において、前記制御部の上部に位置し前記保護体を装着するために前記基台部に形成された孔から前記基台部内に浸入する水等の液体を、制御部を介することなく、下方に案内する案内部を設けたことを特徴とする扇風機。
【発明の詳細な説明】
【技術分野】
【０００１】
本発明は、イオン放出部を備えた扇風機に関するものである。
【背景技術】
【０００２】
この種の扇風機においては、基台部にイオン放出部を取り付ける方法として、二つの保持部材を用いてイオン放出部を両側から挟み込むことによってイオン放出部を保持し、この保持部を制御基板上方の基台部に嵌合させた後、ネジ固定するものがある。（特許文献１）
しかしながら、このようなイオン放出部の取付方法では、イオン放出部を固定するために複数の保持部材が必要となる上、ネジを用いて保持部材を固定するという組立工程が必要であった。
【０００３】
また、誤って基台に水等の液体を零した場合、基台部に形成された孔から基台部内に液体が浸入して制御基板が濡れてしまい、制御基板が短絡して制御回路が壊れてしまう虞があった。
【特許文献１】特願２００３−０９３７６７号（第４頁、第４図）
【発明の開示】
【発明が解決しようとする課題】
【０００４】
本発明は、このような問題を解決する為になされたものであり、イオン放出部を簡単に取り付けることが出来るようにしてコストダウンを図るとともに、組立作業性を向上させようとするものであり、また、誤って基台部に形成された孔から基台部内に液体が浸入した場合でも、制御基板が濡れることはなく制御基板の短絡を防止することができる扇風機を提供しようとするものである。
【課題を解決するための手段】
【０００５】
上記課題を解決するための請求項１に記載の扇風機は、ベース、該ベースの底部に配設された底カバー及び前記ベースから立設されたスタンドからなる基台部と、該基台部の上方に位置する送風部と、前記基台部内に配置され前記送風部を制御する制御部と、前記基台部に配置され前記基台部外へイオンを放出するイオン放出部と、該イオン放出部を制御するイオン放出制御部と、該イオン放出制御部と前記イオン放出部とを電気的に接続するコードと、前記基台部に一体的に形成され前記イオン放出部が装着される装着部と、前記底カバーに形成され、前記底カバーの前記ベース底部への配設時に、前記イオン放出部が前記装着部から外れるのを阻止する阻止体とを備えたことを特徴とする。
【０００６】
請求項２に記載の扇風機は、請求項１において、前記装着部は筒状体であり、該筒状体の一端開口は前記基台部の外方に臨むとともに他端開口は前記基台部内に位置し、前記イオン放出部は前記筒状体内に保持されていることを特徴とする。
【０００７】
請求項３に記載の扇風機は、請求項２において、前記一端開口から前記基台部の外方に臨む前記イオン放出部の先端を保護するように、前記一端開口付近に保護体を設けたことを特徴とする。
【０００８】
請求項４に記載の扇風機は、請求項２において、前記他端開口に連接するように前記筒状体に切欠部を設け、該切欠部に前記コードを挿通したことを特徴とする。
【０００９】
請求項５に記載の扇風機は、請求項３において、前記制御部の上部に位置し前記保護体を装着するために前記基台部に形成された孔から前記基台部内に浸入する水等の液体を、制御部を介することなく、下方に案内する案内部を設けたことを特徴とする。
【発明の効果】
【００１０】
本発明の請求項１の構成によれば、基台部と一体的に形成された装着部を介して基台部にイオン放出部を装着し、底カバーに設けられた阻止体により、底カバーをベース底部に配設するだけで、イオン放出部を装着部から外れないよう阻止することができる。従って、従来の取付方法のように、イオン放出部を保持部によって保持させた後、保持部を基台部に嵌合させてネジ固定するという工程が必要でなくなるため、イオン放出部を簡単に取り付けることができコストダウンが図れるとともに、組立作業性を向上させることができる。
【００１１】
本発明の請求項２の構成によれば、装着部は筒状体であり筒状体の一端開口を基台部の外方に臨ませた構成であるため、イオン放出部を筒状体に挿入するだけで装着部に簡単に装着することができるとともに、イオン放出部から発生したイオンを筒状体の一端開口を介して確実に放出させることができる。
【００１２】
本発明の請求項３の構成によれば、一端開口付近に保護体を設けたことにより、一端開口から基台部の外方に臨むイオン放出部の先端を保護することができる。
【００１３】
本発明の請求項４の構成によれば、切欠部を筒状体に他端開口と連接するよう設けたことにより、保持されたイオン放出部と接続しているコードの位置を簡単に決めることができる。
【００１４】
本発明の請求項５の構成によれば、誤って基台部に形成された孔から基台部内に液体が浸入した場合でも、液体は案内部を介してスタンド下方に導かれるため、制御基板は濡れることなく、制御基板の短絡を防止することができる。
【発明を実施するための最良の形態】
【００１５】
次に図面を参照しながら本発明を詳細に説明する。図1は本発明の一実施例の扇風機の側面図を示す。図２は正面図を示す。図３は本発明の基台部３の上面図を示す。図４は図３におけるＡ−Ａ断面図を示す。図５は図４における要部拡大図を示す。図６は図３におけるＢ−Ｂ断面図を示す。図７は本発明の第１ベース体８の上面図を示す。図８は本発明の底カバー１７の上面図を示す。なお、説明の都合上、図１における矢印方向を正面側とする。
【００１６】
図１乃至図８に示すように、扇風機は、羽根１等を備えた送風部２、該送風部２を支える基台部３を主要構成とし、これら各部におけるケース部分は、樹脂を射出成形することにより形成されている。
【００１７】
送風部２は、羽根１、該羽根１を回転させるモータ（図示しない）、羽根１を覆う羽根カバー４、該羽根カバーの正面中央に配置された飾り具５等により形成されている。
【００１８】
基台部３は、ベース６、該ベース６から上方へ立設されたスタンド７からなる。ベース６は、平面視が円形の第１ベース体８と、該第１ベース体８に着脱自在に装着される平面視がほぼ矩形状の第２ベース体９とからなる。スタンド７は第２ベース体９に一体成形されている。
【００１９】
第１ベース体８は、第２ベース体９が挿入装着される平面視がほぼ矩形状の挿入凹部１０を有しており、且つこの挿入凹部１０に位置する部分に円形の雄ネジ固定穴１１が形成されている。また、第１ベース体８において、挿入凹部１０の前部には係合穴１２が１つ形成され、挿入凹部１０の後部には爪状体１３が２つ形成されており、更に挿入凹部１０の周辺にリブ溝１４が形成されている。
【００２０】
第２ベース体９は、リブ溝１４に嵌合するリブ１５が形成されているとともに部品収納室１６を有し、且つ部品収納室１６を覆う底カバー１７が設けられている。底カバー１７は、第２ベース体９の底部に配設されており、延いてはベース６の底部に配置された状態にある。そして、底カバー１７の前部には、係合穴１２に挿嵌係合される底カバー突起１８が１つ形成され、後部には、爪状体１３に係合する底カバー爪１９が２つ形成されている。更に、底カバー１７の下面には、雄ネジ固定穴１１に嵌合される固定雄ネジ２０が形成されている。雄ネジ固定穴１１に嵌合された固定雄ネジ２０には、固定ナット２１が締着される。
【００２１】
基台部３における第２ベース体９の部品収納室１６内には、制御部即ち制御基板２２が配置されており、制御基板２２はマイコンや各種スイッチを有している。この各種スイッチは、第２ベース体９の前側表面に設けられている押下ボタン２３の押下時にオンする。制御基板２２は、各種スイッチのオンに基づいて、羽根１を回転させるモータを駆動制御する。
【００２２】
更に、基台部３の第２ベース体９の部品収納室１６内において、押下ボタン２３とスタンド７との間には、マイナスイオンを放出するマイナスイオン放出部２４が配置されている。該マイナスイオン放出部２４は、同じく部品収納室１６内に位置するイオン放出制御部２５により駆動制御される。マイナスイオン放出部２４とイオン放出制御部２５とはコード２６にて電気的に接続されている。
【００２３】
マイナスイオン放出部２４の配置構成を具体的に説明するに、基台部３の第２ベース体９には、装着部即ち筒状体２７が一体形成されている。筒状体２７の上側の一端開口２８は基台部３の外方に臨むとともに、下側の他端開口２９は基台部３（部品収納室１６）内に位置している。そして、マイナスイオン放出部２４は他端開口２９から筒状体２７内に装着されている。筒状体２７には、他端開口２９に連接する切欠部３０が設けられており、マイナスイオン放出部２４の上記装着時には、コード２６が切欠部３０に押し込められている。そして、コード２６には、底カバー１７の配置状態において、底カバー１７に一体形成されている阻止体３１が当接している。結果的に、マイナスイオン放出部２４は、阻止体３１によりコード２６を介して、筒状体２７から外れるのが阻止されている（筒状体２７内に保持されている）。より具体的には、コード２６を切欠部３０に押し込むことにより、マイナスイオン放出部２４が筒状体２７から外れるのが仮阻止され、その後底カバー１７を配置し阻止体３１をコード２６に当接することにより、マイナスイオン放出部２４の筒状体２７からの外れが確実に阻止される。また、コード２６を切欠部３０に押し込むことにより、マイナスイオン放出部２４は回り止めされるとともに、コード２６の位置決めを簡単に行うことができる。さらに、阻止体３１は筒状体２７の他端開口２９に当接することにより、基台部３の強度を向上させることができる。
【００２４】
筒状体２７の一端開口２８の上側には、該一端開口２８から基台部３外方へ突出したマイナスイオン放出部２４の先端を保護する保護体３２が設けられている。該保護体３２は、マイナスイオンを放出するマイナスイオン放出口３３、マイナスイオン放出部２４の先端を囲繞する囲繞部３４、該囲繞部３４の両端に形成された一対の係合爪３５を有している。該係合爪３５を、部品収納室１６に設けられた係合穴３６に挿嵌係合することにより、該保護体３２は部品収納室１６（基台部３）の上面に装着され、マイナスイオン放出部２４の先端を保護することができる。
【００２５】
部品収納室１６（基台部３）の上面には、該係合穴３６の他に、制御基板２２に配設されたＬＥＤ（図示しない）を部品収納室１６外方に透光させるための透光穴（図示しない）が形成されている。該ＬＥＤはマイナスイオンの発生を報知するものである。該係合穴３６及び該透光穴の下側には、基台部３の部品収納室１６内に浸入する水等の液体を、制御基板２２を介することなく制御基板２２下方へ案内する案内部３７が設けられている。図９は本発明の案内部３７を示す斜視図である。案内部３７の構成を具体的に説明すると、該案内部３７は、一枚の樹脂材料により形成されており、部品収納室１６（基台部３）に形成された係合穴３６及び透光穴から浸入した水等の液体を受ける水平部３８、該水平部３８から上方に向かって突出するとともに一部を除いて該水平部３８の周囲を連続して覆うよう形成された壁３９、該水平部３８の一端に設けられ浸入した水等の液体を制御基板２２下方に案内する誘導部４０等を有している。該水平部３８は、部品収納室１６（基台部３）に形成された係合穴３６及び透光穴の下方を覆うとともに、基台部３（部品収納室１６）の筒状体２７に挿入される孔穴部４１を形成している。
【００２６】
案内部３７の取付方法を具体的に説明すると、案内部３７の孔穴部４１を部品収納室１６（基台部３）の筒状体２７に挿入した後、制御基板２２の穴を筒状体２７に挿入し、該制御基板２２を部品収納室１６に形成されたネジ穴にネジ止めする。そして、案内部３７の誘導部４０を部品収納室１６の側壁４２に沿うよう配設するとともに、該誘導部４０の下端が該制御基板２２より下方となるよう配設する。これにより案内部３７は部品収納室１６の上面と制御基板２２の間に配設され、誤って基台部３に水等の液体を零しても、部品収納室１６（基台部３）に形成された係合穴３６及び透光穴から基台部３内に浸入した水等の液体は、水平部３８から誘導部４０へ案内され、制御基板２２より下方へ流下するように誘導される。これにより、制御基板２２は濡れることなく制御基板２２の短絡を防止することができる。また、案内部３７は、マイナスイオン放出部２４を保持する筒状体２７と制御基板２２により、位置決めされるとともに保持されるため、案内部３７を装着するための特別な装着部材が不要であるため、部品点数は増えない。
【００２７】
次に、第１ベース体８に対する第２ベース体９の着脱方法について説明する。図１０は本発明の基台部３の組立て分解図を示す。第２ベース体９を第１ベース体８に取り付ける。このとき第２ベース体９の下方に位置する部品収納室１６を第１ベース体８の挿入凹部１０に挿入するが、その際、第２ベース体９を適宜傾斜させて、部品収納室１６の底面に配設された底カバー突起１８を第１ベース体８の係合穴１２に挿入し、その状態で第２ベース体９の傾斜を正すと（起こすと）、第２ベース体９のリブ１５は第１ベース体８のリブ溝１４に挿嵌されるとともに、第２ベース体９の底カバー爪１９は第１ベース体８の爪状体１３に係合され、第２ベース体９は第１ベース体８に仮止めされる。第２ベース体９を第１ベース体８の挿入凹部１０に挿入すると、固定雄ネジ２０は雄ネジ固定穴１１を挿通した状態で、雄ネジ固定穴１１から飛び出しており、該固定雄ネジ２０に固定ナット２１を螺合させる。
【００２８】
この時、第２ベース体９の底カバー突起１８および底カバー爪１９は、第１ベース体８の係合穴１２および爪状体１３に夫々係合して仮止めされているため、固定雄ネジ２０を固定ナット２１に螺合する際に、第１ベース体８の裏面が上を向くよう回転させても、第２ベース体９と第１ベース体８は外れたり固定雄ネジ２０の位置がずれたりすることないため、第２ベース体９の固定雄ネジ２０を固定ナット２１に簡単に螺合させることができる。これにより第１ベース体８は第２ベース体９に固定され、扇風機が使用可能な状態となる。
【００２９】
第２ベース体９のように矩形状である場合、第２ベース体９に用いられる樹脂が経時変化によって劣化して反り返ることがあるが、実施例のように、第２ベース体９底部に配設された底カバー１７の底カバー突起１８および底カバー爪１９が、第１ベース体８の係合穴１２および爪状体１３に夫々係合しているため、第２ベース体９は第１ベース体８上面からの反りかえりを防ぐことができる。
【００３０】
次に羽根１を覆う羽根カバー４の正面中央に配置された飾り具５の第１実施例について説明する。図１１は飾り具基部４３の正面図、図１２は飾り具基部４３の背面図、図１３は図１２におけるＡ−Ａ断面図、図１４は図１３における要部拡大図、図１５は図１２におけるＢ−Ｂ断面図を示す。
【００３１】
図１６はリング４４の正面図、図１７は図１６におけるＡ−Ａ断面図を示す。なお、説明の都合上、図１３および図１７における矢印方向を正面側とする。
【００３２】
飾り具５は、飾り具基部４３、飾り具基部４３の外周縁に位置するリング４４等により形成されている。
【００３３】
飾り具基部４３は、一対の飾り具係止爪４５、３箇所のボス４６、飾り具基部外周縁に形成された飾り具鍔部４７、該飾り具鍔部４７の内周縁から正面側に突出した飾り具周辺部４８、該飾り具周辺部４８内部を覆う飾り具中央部４９等が形成されている。そして、飾り具周辺部４８には、飾り具係合凹部５０が３つ形成されている。
【００３４】
リング４４は、透光性を有する環状部材であり、飾り具鍔部４７と当接するリング当接部５１、飾り具周辺部４８と対向するリング内縁部５２等により形成されている。該リング内縁部５２は、飾り具係合凹部５０に挿嵌係合されるリング係合凸部５３が３つ形成されている。当該リング係合凸部５３の内１箇所は他の２箇所よりも突出度が高くなっている。
【００３５】
羽根カバー４は、飾り具係止爪４５が挿嵌される羽根カバー係合穴５４（図１８参照）等が形成されている。
【００３６】
次に、第１実施例の飾り具５の装着方法を説明する。図１８Ａは飾り具５の組立て分解図を示す。図１８Ａに示すように、リング４４に配設された３箇所のリング係合凸部５３を飾り具基部４３の飾り具係合凹部５０に挿入する。その際、リング４４を適宜傾斜させ、突出度の高いリング係合凸部５３を飾り具係合凹部５０に挿入し、その状態でリング４４の傾斜を正すと（起すと）、突出度の低い２箇所のリング係合凸部５３は飾り具係合凹部５０に挿嵌されるとともに、リング当接部５１は飾り具鍔部４７に当接する。そして、一対の飾り具係止爪４５を、飾り具係止爪４５に対応して形成された羽根カバー係合穴５４に係合させると、飾り具基部４３に配設された複数のボス４６が羽根カバー４と当接されるとともに、飾り具５は羽根カバー４に装着される。リング係合凸部５３は、３箇所の内１箇所を他の２箇所と突出度を変えることで、リング４４を飾り具基部４３に挿嵌しやすくするとともに、リング４４が飾り具基部４３から外れにくくなるようになっている。
【００３７】
次に、飾り具５の第２実施例について説明する。図１９は飾り具基部４３の背面図、図２０は図１９におけるＡ−Ａ断面図、図２１は図１９におけるＢ−Ｂ断面図を示す。図２２はリング４４の正面図、図２３は図２２におけるＡ−Ａ断面図を示す。説明の都合上、図２０および図２３における矢印方向を正面側とする。飾り具５は、飾り具基部４３、飾り具基部４３の外周縁に配設されたリング４４等により形成されている。
【００３８】
飾り具基部４３は、飾り具中央部４９、該飾り具中央部４９の外周に沿って配置された３箇所のボス４６、一対の飾り具係止爪４５が形成されている。該飾り具中央部４９は、背面側に突出した飾り具中央部外壁５５等を形成している。
【００３９】
リング４４は、透光性を有する環状部材であり、飾り具中央部４９の外周を囲む鍔部５６、該鍔部５６の内周を形成し且つ飾り具中央部外壁５５と対向するリング内縁部５２等を形成している。該リング内縁部５２は、飾り具基部４３のボス４６が挿嵌されるボス受け部５７が３つ形成されている。
【００４０】
羽根カバー４は、飾り具係止爪４５が挿嵌される羽根カバー係合穴５４（図２４参照）等が形成されている。
【００４１】
次に、第２実施例の飾り具５の装着方法を説明する。図２４Ａは組立て分解図を示す。図２４Ａに示すように、飾り具基部４３に設けられた３箇所のボス４６と飾り具係止爪４５を鍔部５６内に通し、該ボス４６をリング４４に設けられたボス受け部５７に当接するよう配設するとともに、該飾り具係止爪４５を羽根カバー係合穴５４に係合させると、飾り具５は羽根カバー４に装着される。
【００４２】
更に、飾り具５の第３実施例について説明する。図２５は飾り具基部４３の背面図、図２６は図２５におけるＡ−Ａ断面図を示す。図２７はリング４４の正面図、図２８は図２７におけるＡ−Ａ断面図を示す。説明の都合上、図２６および図２８における矢印方向を正面側とする。飾り具５は、飾り具基部４３、飾り具基部４３の外周縁に配設されたリング４４等により形成されている。
【００４３】
飾り具基部４３は、３箇所のボス４６、飾り具基部外周縁に形成された飾り具鍔部４７、該飾り具鍔部４７の内周縁から正面側に突出した飾り具周辺部４８、該飾り具周辺部４８内部を覆う飾り具中央部４９等が形成されている。該飾り具鍔部４７は、一対の切欠５８が形成されている。
【００４４】
リング４４は、透光性を有する環状部材であり、飾り具鍔部４７と当接するリング当接部５１、飾り具周辺部４８と対向するリング内縁部５２等により形成されている。該リング内縁部５２は、飾り具鍔部４７に形成された一対の切欠５８を挿通するリング係止爪５９が２つ形成されている。
【００４５】
羽根カバー４は、リング係止爪５９が挿嵌される羽根カバー係合穴５４（図２９）等が形成されている。
【００４６】
次に、第３実施例の飾り具５の装着方法を説明する。
【００４７】
図２９Ａは組立て分解図を示す。図２９Ａに示すように、リング４４に設けられた一対のリング係止爪５９を飾り具基部４３に設けられた切欠５８に挿通させ、リング係止爪５９に対応して形成された羽根カバー係合穴５４に係合させると、飾り具基部４３に設けられた複数のボス４６が羽根カバー４に当接するとともに、飾り具５は羽根カバー４に装着される。
【００４８】
上記各実施例のように、飾り具を、飾り具基部とリングで構成することにより、飾り具基部を白、リングを青というように異色の色を使用することが可能となり、従来のように飾り具を一つの部材で構成していた時には不可能だった、カラー展開を図ることが出来る。また、リングが透光性を有する場合でも、リングの背面に飾り具基部を配設しているため、リングの背面から羽根カバーが透けることはなく、外観を向上させることができる。
【図面の簡単な説明】
【００４９】
【図１】本発明の一実施例の扇風機の側面図である。
【図２】正面図である。
【図３】基台部の上面図である。
【図４】図３におけるＡ−Ａ断面図である。
【図５】図４における円部の拡大断面図である。
【図６】図３におけるＢ−Ｂ断面図である。
【図７】第１ベース体の上面図である。
【図８】底カバーの上面図である。
【図９】案内部を示す斜視図である。
【図１０】基台部の組立て分解図である。
【図１１】飾り具の第１実施例における飾り具基部の正面図である。
【図１２】同背面図である。
【図１３】図１２におけるＡ−Ａ断面図である。
【図１４】図１３における円部の拡大断面図である。
【図１５】図１２におけるＢ−Ｂ断面図である。
【図１６】飾り具の第１実施例におけるリングの正面図である。
【図１７】図１６におけるＡ−Ａ断面図である。
【図１８】飾り具の第１実施例の断面図であり、Ａは組立て分解状態を示し、Ｂは組立て完成状態を示す。
【図１９】飾り具の第２実施例における飾り具基部の背面図である。
【図２０】図１９におけるＡ−Ａ断面図である。
【図２１】図１９におけるＢ−Ｂ断面図である。
【図２２】飾り具の第２実施例におけるリングの正面図である。
【図２３】図２２におけるＡ−Ａ断面図である。
【図２４】飾り具の第２実施例の断面図であり、Ａは組立て分解状態を示し、Ｂは組立て完成状態を示す。
【図２５】飾り具の第３実施例における飾り具基部の背面図である。
【図２６】図２５におけるＡ−Ａ断面図である。
【図２７】飾り具の第３実施例におけるリングの正面図である。
【図２８】図２７におけるＡ−Ａ断面図である。
【図２９】飾り具の第３実施例の断面図であり、Ａは組立て分解状態を示し、Ｂは組立て完成状態を示す。
【符号の説明】
【００５０】
３    基台部
５    飾り具
６    ベース
８    第１ベース体
９    第２ベース体
１０  挿入凹部
１１  雄ネジ固定穴
１２  係合穴
１３  爪状体
１７  底カバー
１８  底カバー突起
１９  底カバー爪
２２  制御基板
２４  マイナスイオン放出部
２７  筒状体
２８  一端開口
２９  他端開口
３０  切欠部
３１  阻止体
３２  保護体
３７  案内部
４０  誘導部
４３  飾り具基部
４４  リング
４５  飾り具係止爪
４６  ボス
５０  飾り具係合凹部
５３  リング係合凸部
５７  ボス受け部
５８  切欠
５９  リング係止爪
【図１】
2005248828.tif 000003
【図２】
2005248828.tif 000004
【図３】
2005248828.tif 000005
【図４】
2005248828.tif 000006
【図５】
2005248828.tif 000007
【図６】
2005248828.tif 000008
【図７】
2005248828.tif 000009
【図８】
2005248828.tif 000010
【図９】
2005248828.tif 000011
【図１０】
2005248828.tif 000012
【図１１】
2005248828.tif 000013
【図１２】
2005248828.tif 000014
【図１３】
2005248828.tif 000015
【図１４】
2005248828.tif 000016
【図１５】
2005248828.tif 000017
【図１６】
2005248828.tif 000018
【図１７】
2005248828.tif 000019
【図１８】
2005248828.tif 000020
【図１９】
2005248828.tif 000021
【図２０】
2005248828.tif 000022
【図２１】
2005248828.tif 000023
【図２２】
2005248828.tif 000024
【図２３】
2005248828.tif 000025
【図２４】
2005248828.tif 000026
【図２５】
2005248828.tif 000027
【図２６】
2005248828.tif 000028
【図２７】
2005248828.tif 000029
【図２８】
2005248828.tif 000030
【図２９】
2005248828.tif 000031